(57)【要約】【課題】弱音効果を高めるためには、フェルト等による緩衝部材の厚みを増すことが有効であるが、従来の弱音装置では緩衝部材の厚みを増せば増すほど、該緩衝部材の厚みの強度により、近接した２音間の音階を緩衝部材が打弦してしまい不協和音の音量も大きくなってしまうという欠点があった。【解決手段】緩衝部材を備えたマフラーレールを上下動させることにより、ハンマーヘッドを、該緩衝部材を介して打弦して打弦時の音量を減少させ得るピアノの弱音装置において、該緩衝部材は単音階ずつ打弦するハンマーヘッド個々に独立作用する単音階緩衝部材を有して成ることを特徴とする。これにより、単音階ずつ打弦するハンマーヘッド個々に緩衝部材が独立作用するために、緩衝部材が２音間の近接した音を打弦することなく、個々のハンマーヘッドに対応した音階のみを打弦することができる。【選択図】図２
2010271678.tif 000002
【特許請求の範囲】
【請求項１】
緩衝部材を備えたマフラーレールを上下動させることにより、ハンマーヘッドを、該緩衝部材を介して打弦して打弦時の音量を減少させ得るピアノの弱音装置において、該緩衝部材は単音階ずつ打弦するハンマーヘッド個々に独立作用する単音階緩衝部材を有して成るピアノの弱音装置。
【請求項２】
単音階緩衝部材に重なり合う、緩衝作用を増幅させ得る増幅緩衝部材を有して成るピアノの弱音装置。
【請求項３】
増幅緩衝部材は単音階緩衝部材のハンマーヘッドが打弦する位置に有して成るピアノの弱音装置。
【発明の詳細な説明】
【技術分野】
【０００１】  この発明は、緩衝部材を備えたマフラーレールを上下動させることにより、ハンマーヘッドを、該緩衝部材を介して打弦して打弦時の音量を減少させ得るピアノの弱音装置に関するものである。
【背景技術】
【０００２】  従来より、アコースティックピアノにおいては、マンション・住宅密集地での演奏、または夜間の演奏等、通常の音量での演奏では騒音問題につながるため、ハンマーヘッドを、マフラーフェルト等を介して打弦して打弦時の音量を減少させ得るピアノの弱音装置が用いられていた。【０００３】  即ち、図３に示すようにフェルト等による緩衝部材５を備えたマフラーレール１を上下動させることにより、図３では省略しているがハンマーヘッドを、該緩衝部材５を介して打弦して打弦時の音量を減少させ得るピアノの弱音装置がそれである。
【発明の概要】
【発明が解決しようとする課題】
【０００４】  しかし、このようなマフラーフェルト等による緩衝部材では、特定の音域を一枚の緩衝部材５でカバーしているために、図４で示すように、例えばハンマー２ａが音階Ｃを打弦し、ハンマー２ｂが音階Ｅを打弦するような２音を同時に打弦するような場合において、図４では省略しているが、実際にはハンマー２ａとハンマー２ｂとの間には音階Ｃ♯，Ｄ，Ｅ♭に相当する３本のハンマーが存在するが、２音を同時に打弦する時に、緩衝部材５がハンマー２ａとハンマー２ｂに同時に押されて、ハンマー２ａの音階Ｃと、ハンマー２ｂの音階Ｅとの間の音階の全てを打弦して、Ｃ♯，Ｄ，Ｅ♭の音階も多少鳴ってしまい、実際にはＣ，Ｃ♯，Ｄ，Ｅ♭，Ｅの音が同時に出て不協和音が発生していた。【０００５】  また、弱音効果を高めるためには、フェルト等による緩衝部材５の厚みを増すことが有効であるが、緩衝部材５の厚みを増せば増すほど、該緩衝部材５の厚みの強度により２音間にある全ての音階を緩衝部材５が打弦してしまい不協和音の音量も更に大きくなってしまうという欠点があった。【０００６】  本発明は、以上のような欠点を解決するために成されたもので、弱音効果を増すために緩衝部材の厚みを増しても、打弦した音階以外の音が出ないピアノの弱音装置を提供することを目的とする。
【課題を解決するための手段】
【０００７】  上記目的を達成するために、緩衝部材を備えたマフラーレールを上下動させることにより、ハンマーヘッドを、該緩衝部材を介して打弦して打弦時の音量を減少させ得るピアノの弱音装置において、該緩衝部材は単音階ずつ打弦するハンマーヘッド個々に独立作用する単音階緩衝部材を有して成ることを特徴とする。
【発明の効果】
【０００８】  上記のように構成された弱音装置においては、弱音効果を高めるために、フェルト等による緩衝部材の厚みを増しても、単音階ずつ打弦するハンマーヘッド個々に緩衝部材が独立作用するために、緩衝部材が２音間の近接した音を打弦することなく、個々のハンマーヘッドに対応した音階のみを打弦することができる。
【図面の簡単な説明】
【０００９】
【図１】本発明の実施形態を示す斜視図である。
【図２】本発明の他の実施形態を示す斜視図である。
【図３】従来の弱音器を示す斜視図である。
【図４】従来の弱音器における問題点を示す斜視図である。
【発明を実施するための形態】
【００１０】  以下、本発明の実施の形態を図面とともに説明する。
【００１１】  図１は、本発明の全体を示す斜視図であるが、従来から用いられている機構でペダル等を踏んでマフラーレール１を上下動させることにより、弱音効果を効かせたり解除したりすることが可能であるマフラーレール１に単音階緩階衝部材３を備えて成るものである。
【００１２】  単音階緩衝部材３は、図では省略しているが音階の数に対応して設ける。
即ち、８８鍵盤のピアノでは８８音階あるので８８数の単音階緩衝部材を構成し、７５鍵盤のピアノでは７５数の単音階緩衝部材を設ければ良い。
【００１３】  また、素材については従来から用いられているマフラーフェルト素材であって、弱音効果を増すために厚みを増したものを使用しても良い。
【００１４】  その場合、厚みのある一枚のフェルトを用いても良いし、緩衝作用を増幅させるため、単音階緩衝部材に重なり合う２枚以上のフェルトを重ねて厚みを増したものであっても良い。
【００１５】  図２は本発明の他の実施の形態を示す斜視図であるが、マフラーレール１に単音階緩階衝部材３を備えており、単音階緩衝部材３は、１枚のマフラーフェルトであったものを個々のハンマー２の間隔に合わせて、その下方を裁断し、個々のハンマー２に対応させている。
【００１６】  また、単音階緩衝部材３のハンマー２の打弦する位置には、緩衝作用を増幅させ得る増幅緩衝部材４を設けている。
【００１７】  増幅緩衝部材４は、厚みのあるフェルトで構成し、ハンマー２は単音階緩衝部材３と増幅緩衝部材４を介して打弦することになるので、相当な弱音効果が期待できる。
【００１８】  本発明において、弱音効果を高めるために、フェルト等による緩衝部材の厚みを増しても、単音階ずつ打弦するハンマーヘッド個々に単音階緩衝部材３が独立作用するために、個々のハンマーヘッドに対応した音階のみを打弦することができる。
【００１９】  よって、図２におけるハンマー２（２ａ）の音階Ｃと、ハンマー２（２ｂ）の音階Ｅを同時に打弦した時にも、前記問題点にあるような不協和音が生じることはない。
【００２０】  また、単音階緩衝部材３及び増幅緩衝部材４の材質をフェルトとして説明をしたが、他の材質、即ち、紙，樹脂，ゴム，ウレタン等、その緩衝効果を高める素材であればフェルト以外の材質であっても良いことは言うまでもない。
【符号の説明】
【００２１】１    マフラーレール
２    ハンマー
２ａ  ハンマー（音階Ｃ）
２ｂ  ハンマー（音階Ｅ）
３    単音階緩衝部材
４    増幅緩衝部材
５    緩衝部材
【図１】
2010271678.tif 000003
【図２】
2010271678.tif 000004
【図３】
2010271678.tif 000005
【図４】
2010271678.tif 000006